【手続補正書】
【提出日】平成17年3月14日(2005.3.14)
【手続補正１】
【補正対象書類名】特許請求の範囲
【補正対象項目名】全文
【補正方法】変更
【補正の内容】
【特許請求の範囲】
【請求項１】
データを記憶した記憶手段と、データを表示する表示手段と、前記記憶手段に記憶されたデータの前記表示手段への表示を制御する表示制御手段とを有するデータ表示装置において、
前記表示手段へ表示する表示データのうち、目視すべき表示データ範囲を強調する目視追認ガイドを表示する強調表示制御手段を含み、
前記強調表示制御手段は、前記目視すべき表示データ範囲を移動させつつ、
前記表示手段へ表示する表示データのうち、前記目視すべき表示データ範囲、あるいは、該目視すべき表示データ範囲以外の表示データのいずれかに重ねて前記目視追認ガイドを表示すること、および前記目視すべき表示データ範囲は文字以外の表示データを含み得ることを特徴とするデータ表示装置。
【請求項２】
前記強調表示制御手段は、前記目視追認ガイドに重ねられた表示データに変形あるいは情報を付加することによって視認性の差を発生させ、視認性の差が発生した表示データを前記目視追認ガイドに重ねて表示することを特徴とする請求項１に記載のデータ表示装置。
【請求項３】
データを記憶した記憶手段と、データを表示する表示手段と、前記記憶手段に記憶されたデータの前記表示手段への表示を制御する表示制御手段とを有するデータ表示装置において、
前記表示手段上の表示データのうち、目視すべき表示データ範囲を強調する目視追認ガイドを表示する強調表示制御手段を含み、
前記強調表示制御手段は、前記目視追認ガイドを複数種備え、上記複数種の目視追認ガイドを時間的に切り替えて表示することを特徴とするデータ表示装置。
【請求項４】
前記強調表示制御手段は、前記表示された目視追認ガイドを移動させながら表示することを特徴とする請求項３に記載のデータ表示装置。
【請求項５】
前記強調表示制御手段は、前記目視追認ガイドを移動させて表示する前に、予め設定された移動速度を参照して、この移動速度を用いて前記目視追認ガイドを移動させて表示することを特徴とする請求項１に記載のデータ表示装置。
【請求項６】
前記強調表示制御手段は、前記目視追認ガイドを移動させて表示する前に、予め設定された移動量を参照して、この移動量を用いて前記目視追認ガイドを変形させて表示することを特徴とする請求項１に記載のデータ表示装置。
【請求項７】
前記強調表示制御手段は、前記表示された目視追認ガイドが一定の方向への移動あるいは変形を開始しない場合には、移動あるいは変形を開始し、一定の方向への移動あるいは変形を開始している場合には、移動あるいは変形を停止することを特徴とする請求項１に記載のデータ表示装置。
【請求項８】
前記強調表示制御手段は、前記表示された目視追認ガイドを消去することを特徴とする請求項１に記載のデータ表示装置。
【請求項９】
データを記憶した記憶手段と、データを表示する表示手段と、前記記憶手段に記憶されたデータの前記表示手段への表示を制御する表示制御手段とを有するデータ表示装置において、
前記表示手段上に表示する表示データのうち、目視すべき表示データ範囲を強調する目視追認ガイドを表示する強調表示制御手段を含み、
前記強調表示制御手段は、前記目視追認ガイド内の表示データの個々の文字の複雑度に基づいた速度で前記目視追認ガイドを移動あるいは変形させることを特徴とするデータ表示装置。
【請求項１０】
データを記憶した記憶手段と、データを表示する表示手段と、前記記憶手段に記憶されたデータの前記表示手段への表示を制御する表示制御手段とを有するデータ表示装置において、
前記表示手段上の表示データのうち、目視すべき表示データ範囲を強調する目視追認ガイドを表示する強調表示制御手段を含み、
前記強調表示制御手段は、前記目視追認ガイド内の表示データの出現頻度に基づいた速度で前記目視追認ガイドを移動あるいは変形させることを特徴とするデータ表示装置。
【請求項１１】
データを記憶した記憶手段と、データを表示する表示手段と、前記記憶手段に記憶されたデータの前記表示手段への表示を制御する表示制御手段とを有するデータ表示装置において、
前記表示手段上の表示データのうち、目視すべき表示データ範囲を強調するまたは視認性を下げる目視追認ガイドを表示する強調表示制御手段を含み、
前記強調表示制御手段は、前記目視追認ガイド内の表示データの複雑度あるいは出現頻度を組み合わせた速度に基づいて前記目視追認ガイドを移動あるいは変形させることを特徴とするデータ表示装置。
【請求項１２】
データを記憶する記憶ステップと、データを表示する表示ステップと、記憶手段に記憶されたデータの表示手段への表示を制御する表示制御ステップとを有するデータ表示方法において、
前記表示ステップ内に表示する表示データのうち、目視すべき表示データ範囲を強調する目視追認ガイドを表示する強調表示制御ステップを含み、
前記強調表示制御ステップは、前記目視すべき表示データ範囲を移動させつつ、前記表示ステップ内で表示する表示データのうち、前記目視すべき表示データ範囲、あるいは、該目視すべき表示データ範囲以外の表示データのいずれかに重ねて前記目視追認ガイドを表示すること、および前記目視すべき表示データ範囲は文字以外の表示データを含み得ることを特徴とするデータ表示方法。
【請求項１３】
データを記憶する記憶ステップと、データを表示する表示ステップと、記憶手段に記憶されたデータの表示手段への表示を制御する表示制御ステップとを有するデータ表示方法において、
前記表示ステップ内に表示する表示データのうち、目視すべき表示データ範囲を強調する目視追認ガイドを表示する強調表示制御ステップを含み、
前記強調表示制御ステップは、前記目視追認ガイド内の表示データの個々の文字複雑度に基づいた速度で前記目視追認ガイドを移動あるいは変形させることを特徴とするデータ表示方法。
【請求項１４】
データを記憶する記憶ステップと、データを表示する表示ステップと、記憶手段に記憶されたデータの表示手段への表示を制御する表示制御ステップとを有するデータ表示方法において、
前記表示ステップ内に表示する表示データのうち、目視すべき表示データ範囲を強調する目視追認ガイドを表示する強調表示制御ステップを含み、
前記強調表示制御ステップは、前記目視追認ガイド内の表示データの出現頻度に基づいた速度で前記目視追認ガイドを移動または変形させることを特徴とするデータ表示方法。
【請求項１５】
データを記憶する記憶ステップと、データを表示する表示ステップと、記憶手段に記憶されたデータの表示手段への表示を制御する表示制御ステップとを有するデータ表示方法において、
前記表示ステップ内に表示する表示データのうち、目視すべき表示データ範囲を強調する目視追認ガイドを表示する強調表示制御ステップを含み、
前記強調表示制御ステップは、前記目視追認ガイド内の表示データの複雑度あるいは出現頻度を組み合わせた速度に基づいて前記目視追認ガイドを移動あるいは変形させることを特徴とするデータ表示方法。
【請求項１６】
データを記憶する記憶ステップと、データを表示する表示ステップと、記憶手段に記憶されたデータの表示手段への表示を制御する表示制御ステップとを有するデータ表示方法において、
前記表示ステップ内に表示する表示データのうち、目視すべき表示データ範囲を強調する目視追認ガイドを表示する強調表示制御ステップを含み、
前記強調表示制御ステップは、前記目視追認ガイドを複数種備え、前記複数種の目視追認ガイドを時間的に切り替えて表示することを特徴とするデータ表示方法。
【請求項１７】
請求項１２乃至１６のいずれかに記載された方法を実行するプログラムを記録したコンピュータ読取可能な記録媒体。
【手続補正２】
【補正対象書類名】明細書
【補正対象項目名】００１９
【補正方法】変更
【補正の内容】
【００１９】
本発明の目的は、文字やイメージを含む文書データを読み易くするためになされる強調処理の操作が簡単であり、かつ、読者（ユーザ）が装置を使用している環境やユーザの表示データの理解度に応じて容易に文字やイメージを眼で追うことができるデータ表示装置あるいはデータ表示方法あるいはデータ表示プログラムを記録した記録媒体を提供することである。
【手続補正３】
【補正対象書類名】明細書
【補正対象項目名】００２０
【補正方法】変更
【補正の内容】
【００２０】
本発明に関わるデータ表示装置は、データを記憶した記憶手段と、データを表示する表示手段と、前記記憶手段に記憶されたデータの前記表示手段への表示を制御する表示制御手段とを有するデータ表示装置において、前記表示手段へ表示する表示データのうち、目視すべき表示データ範囲を強調する目視追認ガイドを表示する強調表示制御手段を含み、前記強調表示制御手段は、前記目視すべき表示データ範囲を移動させつつ、前記表示手段へ表示する表示データのうち、前記目視すべき表示データ範囲、あるいは、該目視すべき表示データ範囲以外の表示データのいずれかに重ねて前記目視追認ガイドを表示すること、および前記目視すべき表示データ範囲は文字以外の表示データを含み得ることを特徴とする。更に、第２の技術手段は、第１の技術手段において、前記強調表示制御手段は、前記目視追認ガイドに重ねられた表示データに変形あるいは情報を付加することによって視認性の差を発生させ、視認性の差が発生した表示データを前記目視追認ガイドに重ねて表示することを特徴とする。更に、第３の技術手段は、データを記憶した記憶手段と、データを表示する表示手段と、前記記憶手段に記憶されたデータの前記表示手段への表示を制御する表示制御手段とを有するデータ表示装置において、前記表示手段上の表示データのうち、目視すべき表示データ範囲を強調する目視追認ガイドを表示する強調表示制御手段を含み、前記強調表示制御手段は、前記目視追認ガイドを複数種備え、上記複数種の目視追認ガイドを時間的に切り替えて表示することを特徴とする。
【手続補正４】
【補正対象書類名】明細書
【補正対象項目名】００２１
【補正方法】変更
【補正の内容】
【００２１】
更に、第４の技術手段は、第３の技術手段において、前記強調表示制御手段は、前記表示された目視追認ガイドを移動させながら表示することを特徴とする。更に、第５の技術手段は、第１の技術手段において、前記強調表示制御手段は、前記目視追認ガイドを移動させて表示する前に、予め設定された移動速度を参照して、この移動速度を用いて前記目視追認ガイドを移動させて表示することを特徴とする。更に、第６の技術手段は、第１の技術手段において、前記強調表示制御手段は、前記目視追認ガイドを移動させて表示する前に、予め設定された移動量を参照して、この移動量を用いて前記目視追認ガイドを変形させて表示することを特徴とする。
【手続補正５】
【補正対象書類名】明細書
【補正対象項目名】００２２
【補正方法】変更
【補正の内容】
【００２２】
更に、第７の技術手段は、第１の技術手段において、前記強調表示制御手段は、前記表示された目視追認ガイドが一定の方向への移動あるいは変形を開始しない場合には、移動あるいは変形を開始し、一定の方向への移動あるいは変形を開始している場合には、移動あるいは変形を停止することを特徴とする。更に、第８の技術手段は、第１の技術手段において、前記強調表示制御手段は、前記表示された目視追認ガイドを消去することを特徴とする。更に、第９の技術手段は、データを記憶した記憶手段と、データを表示する表示手段と、前記記憶手段に記憶されたデータの前記表示手段への表示を制御する表示制御手段とを有するデータ表示装置において、前記表示手段上に表示する表示データのうち、目視すべき表示データ範囲を強調する目視追認ガイドを表示する強調表示制御手段を含み、
前記強調表示制御手段は、前記目視追認ガイド内の表示データの個々の文字の複雑度に基づいた速度で前記目視追認ガイドを移動あるいは変形させることを特徴とする。更に、第１０の技術手段は、データを記憶した記憶手段と、データを表示する表示手段と、前記記憶手段に記憶されたデータの前記表示手段への表示を制御する表示制御手段とを有するデータ表示装置において、前記表示手段上の表示データのうち、目視すべき表示データ範囲を強調する目視追認ガイドを表示する強調表示制御手段を含み、前記強調表示制御手段は、前記目視追認ガイド内の表示データの出現頻度に基づいた速度で前記目視追認ガイドを移動あるいは変形させることを特徴とする。
【手続補正６】
【補正対象書類名】明細書
【補正対象項目名】００２３
【補正方法】変更
【補正の内容】
【００２３】
更に、第１１の技術手段は、データを記憶した記憶手段と、データを表示する表示手段と、前記記憶手段に記憶されたデータの前記表示手段への表示を制御する表示制御手段とを有するデータ表示装置において、前記表示手段上の表示データのうち、目視すべき表示データ範囲を強調するまたは視認性を下げる目視追認ガイドを表示する強調表示制御手段を含み、前記強調表示制御手段は、前記目視追認ガイド内の表示データの複雑度あるいは出現頻度を組み合わせた速度に基づいて前記目視追認ガイドを移動あるいは変形させることを特徴とする。更に、第１２の技術手段は、データを記憶する記憶ステップと、データを表示する表示ステップと、記憶手段に記憶されたデータの表示手段への表示を制御する表示制御ステップとを有するデータ表示方法において、前記表示ステップ内に表示する表示データのうち、目視すべき表示データ範囲を強調する目視追認ガイドを表示する強調表示制御ステップを含み、前記強調表示制御ステップは、前記目視すべき表示データ範囲を移動させつつ、前記表示ステップ内で表示する表示データのうち、前記目視すべき表示データ範囲、あるいは、該目視すべき表示データ範囲以外の表示データのいずれかに重ねて前記目視追認ガイドを表示すること、および前記目視すべき表示データ範囲は文字以外の表示データを含み得ることを特徴とする。更に、第１３の技術手段は、データを記憶する記憶ステップと、データを表示する表示ステップと、記憶手段に記憶されたデータの表示手段への表示を制御する表示制御ステップとを有するデータ表示方法において、前記表示ステップ内に表示する表示データのうち、目視すべき表示データ範囲を強調する目視追認ガイドを表示する強調表示制御ステップを含み、前記強調表示制御ステップは、前記目視追認ガイド内の表示データの個々の文字複雑度に基づいた速度で前記目視追認ガイドを移動あるいは変形させることを特徴とする。
【手続補正７】
【補正対象書類名】明細書
【補正対象項目名】００２４
【補正方法】変更
【補正の内容】
【００２４】
また、第１４の技術手段は、データを記憶する記憶ステップと、データを表示する表示ステップと、記憶手段に記憶されたデータの表示手段への表示を制御する表示制御ステップとを有するデータ表示方法において、前記表示ステップ内に表示する表示データのうち、目視すべき表示データ範囲を強調する目視追認ガイドを表示する強調表示制御ステップを含み、前記強調表示制御ステップは、前記目視追認ガイド内の表示データの出現頻度に基づいた速度で前記目視追認ガイドを移動または変形させることを特徴とする。
【手続補正８】
【補正対象書類名】明細書
【補正対象項目名】００２５
【補正方法】変更
【補正の内容】
【００２５】
また、第１５の技術手段は、データを記憶する記憶ステップと、データを表示する表示ステップと、記憶手段に記憶されたデータの表示手段への表示を制御する表示制御ステップとを有するデータ表示方法において、前記表示ステップ内に表示する表示データのうち、目視すべき表示データ範囲を強調する目視追認ガイドを表示する強調表示制御ステップを含み、前記強調表示制御ステップは、前記目視追認ガイド内の表示データの複雑度あるいは出現頻度を組み合わせた速度に基づいて前記目視追認ガイドを移動あるいは変形させることを特徴とする。更に、第１６の技術手段は、データを記憶する記憶ステップと、データを表示する表示ステップと、記憶手段に記憶されたデータの表示手段への表示を制御する表示制御ステップとを有するデータ表示方法において、前記表示ステップ内に表示する表示データのうち、目視すべき表示データ範囲を強調する目視追認ガイドを表示する強調表示制御ステップを含み、前記強調表示制御ステップは、前記目視追認ガイドを複数種備え、前記複数種の目視追認ガイドを時間的に切り替えて表示することを特徴とする。更に、第１７の技術手段は、第１２乃至１６のいずれかの技術手段の方法を実行するプログラムを記録したコンピュータ読取可能な記録媒体である。